(57)【要約】【課題】双方向通信と同報通信を同時に行う通信システムにおいて、同報通信データを受信していて、通信リンクを切断されるために生ずる同報通信の受信効率低下を改善する通信システムを提供する。【解決手段】基地局通信装置１内の双方向通信終了判断部４１５において双方向通信の終了を判断した場合、通信リンク切断送信部５１５は通信リンク切断抑制管理部５１４の持つ、例えば移動局からの転送データ監視情報等により、移動局通信装置に対して通信リンク切断のメッセージの送信をするかしないを決定する。通信リンク切断のメッセージの送信を行わない場合、移動局通信装置は、基地局通信装置１より通信終了のメッセージを受信していないため、基地局通信装置１から単方向に送信される同報データは、移動局通信装置は受信し続けることが可能となる。【選択図】図２
2005094435.tif 000002
【特許請求の範囲】
【請求項１】
基地局と、無線通信により前記基地局と通信する移動局とを含む通信システムであって、前記基地局は、前記無線通信により、前記移動局へ単方向の同報通信を行う基地局側同報通信手段と、前記移動局に送信問い合わせを行う基地局側送信問い合わせ手段と、前記送信問い合わせに対する応答データを受信する基地局側応答受信手段と、前記移動局と双方向通信を行う基地局側双方向通信手段と、前記移動局との通信リンクを切断する基地局側通信リンク切断手段と、を備え、
前記移動局は、前記無線通信により、前記基地局側同報通信手段からの単方向に送信される同報通信データを受信する移動局側同報通信手段と、前記基地局側双方向通信手段からの送信問い合わせを受信する移動局側送信問い合わせ受信手段と、前記送信問い合わせに応じて前記基地局へ前記応答データを送信する移動局側応答送信手段と、前記基地局と双方向通信を行う移動局側双方向通信手段と、を備え、
前記基地局側通信リンク切断手段は、前記双方向通信の終了を判断した場合に、前記通信リンクの切断を要求する切断要求メッセージを前記移動局に送信するかどうかを調整することを特徴とする通信システム。
【請求項２】
前記同報通信と前記双方向通信とは、通信データの基本ブロックの複数の時間枠を共有して行う同期式時分割通信であることを特徴とする請求項１記載の通信システム。
【請求項３】
前記基地局は、前記切断要求メッセージの送信抑制を要求する抑制要求メッセージを取得する基地局側通信リンク切断抑制要求取得手段を備え、前記基地局側通信リンク切断抑制要求取得手段が取得した抑制要求メッセージに基づいて、前記基地局側通信リンク切断手段は前記移動局への切断要求メッセージの送信を調整することを特徴とする請求項１または請求項２記載の通信システム。
【請求項４】
前記移動局は、前記抑制要求メッセージを生成する移動局側通信リンク切断抑制要求手段と、前記移動局側通信リンク切断抑制要求手段が生成した抑制要求メッセージを送信する移動局側通信リンク切断抑制要求送信手段と、を備えていることを特徴とする請求項３記載の通信システム。
【請求項５】
前記移動局は、前記移動局側双方向通信手段が送受信するデータを処理する移動局側双方向通信データ処理手段を備え、前記移動局側通信リンク切断抑制要求手段は、前記移動局側双方向通信データ処理手段が処理するデータ量に基づいて、前記抑制要求メッセージを生成することを特徴とする請求項４記載の通信システム。
【請求項６】
前記移動局は、前記移動局が取得し保有する前記移動局の位置情報と対比処理する移動局側位置情報処理手段を備え、前記移動局側通信リンク切断抑制要求手段は、前記移動局側位置情報処理手段による対比処理の結果に基づいて、前記抑制要求メッセージを生成することを特徴とする請求項４記載の通信システム。
【請求項７】
前記移動局は、前記無線通信を行う移動局側無線通信手段と、前記移動局側無線通信手段が行う無線通信を監視する移動局側無線通信監視手段と、を備え、前記移動局側通信リンク切断抑制要求手段は、前記移動局側無線通信監視手段の監視結果に基づいて、前記抑制要求メッセージを生成することを特徴とする請求項４記載の通信システム。
【請求項８】
前記基地局は、前記抑制要求メッセージを生成し伝達する基地局側通信リンク切断抑制要求伝達手段を備えていることを特徴とする請求項３乃至請求項７のいずれかに記載の通信システム。
【請求項９】
前記基地局は、前記基地局側双方向通信手段が送受信するデータを処理する基地局側双方向通信データ処理手段を備え、前記基地局側通信リンク切断抑制要求伝達手段は、前記基地局側双方向通信データ処理手段が処理するデータ量に基づいて、前記抑制要求メッセージを生成し伝達することを特徴とする請求項８記載の通信システム。
【請求項１０】
前記基地局は、前記無線通信を行う基地局側無線通信手段と、前記基地局側無線通信手段が行う無線通信を監視する基地局側無線通信監視手段と、を備え、前記基地局側通信リンク切断抑制要求手段は、前記基地局側無線通信監視手段の監視結果に基づいて、前記
抑制要求メッセージを生成し伝達することを特徴とする請求項８記載の通信システム。
【請求項１１】
前記基地局は、前記移動局の通過または接近を判定する移動局通過判定手段を備え、前記基地局側通信リンク切断抑制要求伝達手段は、前記移動局通過判定手段の判定に基づいて、前記抑制要求メッセージを生成し伝達することを特徴とする請求項８記載の通信システム。
【請求項１２】
無線通信により、移動局へ単方向の同報通信を行う基地局側同報通信手段と、前記移動局に送信問い合わせを行う基地局側送信問い合わせ手段と、前記送信問い合わせに対する応答データを受信する基地局側応答受信手段と、前記移動局と双方向通信を行う基地局側双方向通信手段と、前記移動局との通信リンクを切断する基地局側通信リンク切断手段と、を備え、
前記基地局側通信リンク切断手段は、前記双方向通信の終了を判断した場合に、前記通信リンクの切断を要求する切断要求メッセージを前記移動局に送信するかどうかを調整することを特徴とする基地局。
【発明の詳細な説明】
【技術分野】
【０００１】
本発明は基地局と移動局との間の通信システムに関し、特に同報通信と双方向通信とを行う通信システムに関するものである。
【背景技術】
【０００２】
従来、この種の通信システムとしては、たとえば、非特許文献１に記載されているようなものがあった。
【０００３】
従来の通信システムは、双方向通信手段と同報通信手段とを備え、双方向通信では、通信リンク確立後、データの送受信を行うために基地局から移動局へ送信問い合わせのメッセージが送信され、移動局が送信された送信問い合わせのメッセージを受信すると、移動局から基地局へ送信問い合わせ応答のメッセージが送信されるという送信問い合わせ動作を繰り返し、また、同報通信は、上記送信問い合わせ動作とは無関係に基地局から移動局へ、移動局からの受信応答なしでデータ送信を繰り返す。
【０００４】
移動局は、基地局から移動局に送信される双方向通信のデータを、あるいは、基地局から移動局に対して単方向に送信される同報通信のデータを受信できなくなって、一定時間経過した場合、通信エリアから離脱したと判断し、基地局との通信を終了する。
【０００５】
一方、基地局は、移動局からの送信問い合わせ応答のメッセージを受信できなくなって、一定時間経過した場合、移動局との通信を終了したとみなし、移動局に対して、通信リンク切断要求のメッセージを送信し、移動局は、通信リンク切断要求のメッセージを受信した際には双方向通信の終了とともに同報通信によるデータの受信も終了する。
【非特許文献１】「５．８Ｇ＿ＤＳＲＣアプリケーションサブレイヤ詳細技術資料（案）第０．７０版、財団法人  道路新産業開発機構、２００３年３月発行、Ｐ３−２１〜３−２７
【発明の開示】
【発明が解決しようとする課題】
【０００６】
しかしながら、従来の通信システムにおいて、双方向通信では、移動局は、基地局からのデータを受信した直後に、基地局に対してその受信応答を送信し、基地局は移動局からのデータを受信した直後に、移動局に対してその受信応答のメッセージを送信する、といった通信方式を用いているが、同報通信では、基地局から移動局への単方向のデータ送信であり、移動局は同報データを受信しても、その受信応答を基地局に対して送信しない、といった通信方式を用いている。
【０００７】
そのため、移動局は基地局からの下りデータを受信できるが、基地局は移動局からの上りデータを受信できないという環境では、基地局は移動局からの双方向通信データを受信できないために、移動局との双方向通信終了を判定し、移動局に対して、通信リンク切断要求のメッセージを送信し、移動局にて通信リンク切断要求のメッセージを受信した際には、基地局との通信リンクを切断しなければならず、たとえ同報通信データを受信していても通信リンクを切断するため、同報通信の受信効率が低下するという問題が存在した。
【０００８】
本発明は、従来の問題を解決するためになされたもので、同報通信データを受信していて、通信リンクを切断されるために生ずる同報通信の受信効率低下を改善することのできる通信システムを提供することを目的とする。
【課題を解決するための手段】
【０００９】
本発明の通信システムは、基地局と、無線通信により基地局と通信する移動局とを含む通信システムであって、基地局が、無線通信により、移動局へ単方向の同報通信を行う基地局側同報通信手段と、移動局に送信問い合わせを行う基地局側送信問い合わせ手段と、送信問い合わせに対応する応答データを受信する基地局側応答受信手段と、移動局と双方向通信を行う基地局側双方向通信手段と、移動局との通信リンクを切断する基地局側通信リンク切断手段とを備え、移動局が、無線通信により、基地局側同報通信手段からの単方向に送信される同報通信データを受信する移動局側同報通信手段と、基地局側双方向通信手段からの送信問い合わせを受信する移動局側送信問い合わせ受信手段と、送信問い合わせに応じて基地局へ応答データを送信する移動局側応答送信手段と、基地局と双方向通信を行う移動局側双方向通信手段とを備え、基地局側通信リンク切断手段が、双方向通信の終了を判断した際に、通信リンク切断を要求する切断要求メッセージを移動局に送信するかどうかを調整する構成を有している。
【００１０】
この構成により、双方向通信が終了しても、移動局における同報通信データの受信を考慮して、通信リンクの切断を要求する切断要求メッセージの送信を調整することができるので、同報通信の受信効率を改善することができるという効果を生ずる。
【００１１】
また、本発明の通信システムは、同報通信と双方向通信とが、通信データの基本ブロックの複数の時間枠を共有して行う同期式時分割通信である構成を有している。
【００１２】
この構成により、通信データの基本ブロックの複数の時間枠を共有して行う同期式時分割通信において、切断要求メッセージの送信を調整するので、同報通信の受信効率を改善することができるという効果を生ずる。
【００１３】
また、本発明の通信システムは、基地局が、切断要求メッセージの送信抑制を要求する抑制要求メッセージを取得する基地局側通信リンク切断抑制要求取得手段を備え、基地局側通信リンク切断抑制要求取得手段が取得した抑制要求メッセージに基づいて、基地局側通信リンク切断手段が移動局への切断要求メッセージの送信を調整する構成を有している。
【００１４】
この構成により、基地局は移動局への切断要求メッセージの送信を抑制要求メッセージに基づいて行えるという作用を有し、移動局における同報通信データの受信効率を改善することができるという効果を生ずる。
【００１５】
また、本発明の通信システムは、移動局が、抑制要求メッセージを生成する移動局側通信リンク切断抑制要求手段と、移動局側通信リンク切断抑制要求手段が生成した抑制要求メッセージを送信する移動局側通信リンク切断抑制要求送信手段とを備えている構成を有している。
【００１６】
この構成により、移動局から基地局に対して、双方向通信終了時に基地局から移動局に対して送信される切断要求メッセージの抑制を要求することができ、同報通信の受信効率を改善することができるという効果を生ずる。
【００１７】
また、本発明の通信システムは、移動局が、移動局側双方向通信手段の送受信するデータを処理する移動局側双方向通信データ処理手段を備え、移動局側通信リンク切断抑制要求手段が、移動局側双方向通信データ処理手段の処理するデータ量に基づいて、抑制要求メッセージを生成する構成を有している。
【００１８】
この構成により、移動局側双方向通信データ処理手段が処理するデータ量に応じて、移
動局は基地局に対して、通信リンク切断の抑制を行えるという作用を有し、双方向通信終了時に基地局から移動局に対して送信される通信リンク切断のメッセージを抑制することができ、移動局は双方向通信の終了後も同報通信のデータを取得し続けることができ、同報通信の受信効率を改善することができるという効果を生ずる。
【００１９】
また、本発明の通信システムは、移動局が、移動局にて取得し保有する移動局の位置情報と対比処理する移動局側位置情報処理手段を備え、移動局側通信リンク切断抑制要求手段が、移動局側位置情報処理手段による対比処理の結果に基づいて、抑制要求メッセージを生成する構成を有している。
【００２０】
この構成により、移動局の位置情報に応じて、移動局は基地局に対して、通信リンク切断の抑制を行えるという作用を有し、双方向通信終了時に基地局から移動局に対して送信される切断要求メッセージを抑制することができ、移動局は双方向通信の終了後も同報通信のデータを取得し続けることができ、同報通信の受信効率を改善することができるという効果を生ずる。
【００２１】
また、本発明の通信システムは、移動局が、無線通信を行う移動局側無線通信手段と、移動局側無線通信手段が行う無線通信を監視する移動局側無線通信監視手段とを備え、移動局側通信リンク切断抑制要求手段は、移動局側無線通信監視手段の監視結果に基づいて、抑制要求メッセージを生成する構成を有している。
【００２２】
この構成により、移動局側無線通信監視手段の監視結果に応じて、移動局は基地局に対して、通信リンク切断の抑制を行えるという作用を有し、双方向通信終了時に基地局から移動局に対して送信される切断要求メッセージを抑制することができ、移動局は双方向通信の終了後も同報通信のデータを取得し続けることができ、同報通信の受信効率を改善することができるという効果を生ずる。
【００２３】
また、本発明のシステムは、基地局が、抑制要求メッセージを生成し伝達する基地局側通信リンク切断抑制要求伝達手段を備えている構成を有している。
【００２４】
この構成により、基地局が生成し伝達する抑制要求メッセージにより、切断要求メッセージを移動局に送信するかどうかの調整をすることができ、移動局は双方向通信の終了後も同報通信のデータを取得し続けることができ、同報通信の受信効率を改善することができるという効果を生ずる。
【００２５】
また、本発明のシステムは、基地局が、基地局側双方向通信手段の送受信するデータを処理する基地局側双方向通信データ処理手段を備え、基地局側通信リンク切断抑制要求伝達手段が、基地局側双方向通信データ修理手段の処理するデータ量に基づいて、抑制要求メッセージを生成し伝達する構成を有している。
【００２６】
この構成により、基地局側双方向通信データ修理手段の処理するデータ量に基づいて、基地局は、切断要求メッセージを移動局に送信するかどうかを調整することができるという作用を有し、双方向通信終了時に基地局から移動局に対して送信される通信リンク切断のメッセージを抑制することができ、移動局は双方向通信の終了後も同報通信のデータを取得し続けることができ、同報通信の受信効率を改善することができるという効果を生ずる。
【００２７】
また、本発明の通信システムは、基地局が、無線通信を行う基地局側無線通信手段と、基地局側無線通信手段が行う無線通信を監視する基地局側無線通信監視手段とを備え、基地局側通信リンク切断抑制要求は、基地局側無線通信監視手段の監視結果に基づいて、抑
制要求メッセージを生成し伝達する構成を有している。
【００２８】
この構成により、基地局側無線通信監視手段の監視結果に基づいて、基地局は、切断要求メッセージを移動局に送信するかどうかを調整することができるという作用を有し、移動局は双方向通信の終了後も同報通信のデータを取得し続けることができ、同報通信の受信効率を改善することができるという効果を生ずる。
【００２９】
さらに、本発明の通信システムは、基地局が、移動局の通過または接近を判断する移動局側通過判定手段を備え、基地局側通信リンク切断抑制要求伝達手段が、移動局側通過判定手段の判定に基づいて、抑制要求メッセージを生成し伝達する構成を有している。
【００３０】
この構成により、移動局側通過判定手段の判定に基づいて、基地局は、切断要求メッセージを移動局に送信するかどうかを調整することができるという作用を有し、移動局は双方向通信の終了後も同報通信のデータを取得し続けることができ、同報通信の受信効率を改善することができるという効果を生ずる。
【発明の効果】
【００３１】
基地局と、無線通信により基地局と通信する移動局とを含む通信システムであって、双方向通信の終了を判断した場合に、通信リンクの切断を要求する切断要求メッセージの送信を調整することにより、双方向通信が終了しても、移動局における同報通信データの受信を考慮して、通信リンクの切断を要求する切断要求メッセージを調整して移動局に送信することが可能となるという作用を有し、同報通信データの受信効率を改善出来るという効果を生ずる。
【発明を実施するための最良の形態】
【００３２】
以下、本発明の実施の形態について、図面を用いて説明する。
【００３３】
本発明の一実施の形態における通信システムのブロック図を図１に示す。同実施の形態の基地局通信装置のブロック図を図2に、同実施の形態の移動局通信装置のブロック図を図３に示す。
【００３４】
図１において、本実施の形態の通信システムは、基地局通信装置１と移動局通信装置２とを含み、基地局通信装置１は、複数のアプリケーション部３１、３２と、これらのアプリケーション部３１、３２とのデータ交換を行うデータ処理部４１と、データ処理部４１とデータの交換を行う通信処理部５１と、通信処理部５１と移動局通信装置２とのデータ送受信を行う無線部６１とを備え、移動局通信装置２は、複数のアプリケーション部３３、３４と、これらのアプリケーション部３３、３４とのデータ交換を行うデータ処理部４２と、データ処理部４２とデータの交換を行う通信処理部５２と、通信処理部５２と基地局通信装置１とのデータ送受信を行う無線部６２とを備えている。
【００３５】
基地局通信装置１の詳細を図２に示す。
【００３６】
データ処理部４１は、アプリケーション部３１、３２の登録を管理するアプリケーション登録部４１１と、アプリケーション部３１、３２からのデータを通信処理部５１に転送及び通信処理部５１からアプリケーション部３１、３２へ転送するアプリケーションデータ転送部４１２と、アプリケーション部３１、３２と通信処理部５１との間で送受信されるデータの転送状況を通信リンク切断抑制管理部５１４へ転送するデータ転送統計情報処理部４１３と、移動局通信装置２から通信リンク切断抑制のメッセージを受信した場合には、その情報を処理し、通信リンク切断抑制管理部５１４へ転送する通信リンク切断抑制要求受信部４１４と、移動局に対する送信問い合わせ応答が一定時間ない場合に双方向通
信の終了を判断し、双方向通信終了の情報を移動局管理部４１７と通信リンク切断抑制管理部５１４に送信する双方向通信終了判断部４１５と、双方向通信を行っている移動局の管理を行う移動局管理部４１７と、を備える。
【００３７】
通信処理部５１は、移動局通信装置２に対してデータの送受信を行う双方向通信送受信部５１１と、移動局通信装置２に対して単方向のデータ送信を行う同報通信送信部５１２と、移動局の接近または通過を感知しそのデータを処理し、その情報を通信リンク切断抑制管理部５１４に転送する移動局通過処理部５１３と、データ転送統計情報処理部４１３または移動局通過処理部５１３または無線データ統計情報処理部６１２または通信リンク切断抑制要求受信部４１４から送信された情報を元に、移動局との双方向通信終了の際に移動局に対して通信リンク切断のメッセージの送信有無の情報を管理する通信リンク切断抑制管理部５１４と、双方向通信終了判断部４１５からの情報と通信リンク切断抑制管理情報５１４で管理している情報を元に、移動局通信装置２に対して通信リンク切断のメッセージを送信または送信を抑制する通信リンク切断送信部５１５と、データ処理部４１の管理を行うデータ処理部管理部５１６と、を備える。
【００３８】
無線部６１は、移動局通信装置２からの無線データを処理する無線データ送受信部６１１と、無線データ送受信部６１１と移動局通信装置２との間で送受信されるデータの情報、例えば誤り率や、例えば電界強度等の情報を取得し、通信リンク切断抑制管理部５１４に対してその情報を転送する無線データ統計情報処理部６１２と、を備える。
【００３９】
移動局通信装置２の詳細を図３に示す。
データ処理部４２は、アプリケーション部３３、３４の登録を管理するアプリケーション登録部４２１と、アプリケーション部３３、３４からのデータを通信処理部５２に転送し、通信処理部５２からアプリケーション３３、３４へ転送するアプリケーションデータ転送部４２２と、アプリケーション部３３、３４と通信処理部５２との間で送受信されるデータの転送状況を通信リンク切断抑制判断部４２４へ転送するデータ転送統計情報処理部４２３と、双方向通信を行っている基地局の管理を行う基地局管理部４２５と、を備える。
【００４０】
通信処理部５２は、基地局通信装置１に対してデータの送受信を行う双方向通信送受信部５２１と、基地局通信装置１から送信される単方向のデータの受信を行う同報通信受信部５２２と、移動局の位置情報を処理し、その情報を通信リンク切断抑制管理部５２４に転送する位置情報処理部５２３と、通信リンク切断抑制判断部４２４または位置情報処理部５２３または無線データ統計情報処理部６２２から送信された情報を元に、基地局との双方向通信終了の際に移動局に対する通信リンク切断のメッセージの送信有無情報を管理する通信リンク切断抑制管理部５２４と、通信リンク切断抑制管理部５２４で管理している情報を元に、基地局通信装置１に対して通信リンク切断を抑制するメッセージの送信を行う通信リンク切断抑制要求送信部５２５と、データ処理部４２の管理を行うデータ処理部管理部５２６と、を備える。
【００４１】
無線部６２は、基地局通信装置１からの無線データを処理する無線データ送受信部６２１と、無線データ送受信部６２１と基地局通信装置１との間で送受信されるデータの情報、例えば誤り率や、例えば電界強度等の情報を取得し、通信リンク切断抑制管理部５２４に対してその情報を転送する無線データ統計情報処理部６２２と、を備える。
【００４２】
以上のように構成された通信システムについて、図４〜図６を用いてその動作を説明する。本発明の一実施の形態の通信システムのフロー図を図４〜図６に示す。
【００４３】
まず、基地局通信装置１と移動局通信装置２との間の通信開始について説明する。
【００４４】
基地局通信装置１および移動局通信装置２が起動する（Ｓ１０１）。アプリケーション部３２、３４からデータ処理部４１、４２のアプリケーション登録部４１１、４２１に対して、アプリケーションの登録が行われる（Ｓ１０２）。データ処理部４１、４２のアプリケーション登録部４１１、４２１は、アプリケーションの登録内容を管理する（Ｓ１０３）。
【００４５】
データ処理部４１、４２から通信処理部５１、５２に対して、データ処理部４１、４２の登録が行われる（Ｓ１０４）。データ処理部管理部５１６、５２６は、登録内容をデータ処理部登録管理テーブル（図示せず）として管理する。
【００４６】
移動局通信装置２が基地局通信装置１の通信エリアに入り、移動局通信装置２と基地局通信装置１との通信が開始されると、両装置の双方向通信送受信部５１１、５２１により、送信問い合わせが開始される。通信処理部５１、５２のデータ処理部管理部５１６、５２６は、データ処理部登録管理テーブルを交換する（Ｓ１０５）。
【００４７】
基地局通信装置１のデータ処理部管理部５１６は、移動局通信装置２に対して、データ処理部登録管理テーブルを送信する。また移動局通信装置２のデータ処理部管理部５２６も、基地局通信装置１に対して、データ処理部登録管理テーブルを送信する。
【００４８】
各装置ともに、受信したデータ処理部登録管理テーブルをもとに、データ処理部４１〜４２の種類が一致しているかどうか確認する（Ｓ１０６）。
【００４９】
データ処理部４１〜４２が１つも一致しなかった場合には、いかなる通信も行われないことが明確であり、通信終了としてリンクを切断する（Ｓ１０７）。データ処理部４１〜４２が１つでも一致した場合には、一致した内容を新たにデータ処理部動作管理テーブルとして作成して管理し、通信を継続する。
【００５０】
基地局通信装置１の双方向通信送受信部５１１は、移動局通信装置２に送信問い合わせを行うために、基地局通信装置１の送受信部６１を通じて、送信問い合わせ要求メッセージを移動局通信装置２へ転送する（Ｓ１０８）。
【００５１】
双方向通信が終了でなければ（Ｓ１０９のＮ）、移動局通信装置２の双方向通信部５２１は、移動局通信装置２の無線部６２を通じて、送信問い合わせ要求メッセージを基地局通信装置１から受信すると（Ｓ１１０）、アプリケーション部３３、３４からのデータが、データ処理部４２から転送されていれば（Ｓ１１１）、送信問い合わせ応答メッセージにアプリケーション部３３、３４からのデータを付加して、無線部６２を通じて基地局通信装置１へ返信する（Ｓ１１２）。
【００５２】
アプリケーション部３３、３４からのデータが、データ処理部４２から転送されていなければ、送信問い合わせ応答メッセージへ何もデータを付加せずに返信する（Ｓ１１３）。
【００５３】
この送信問い合わせの動作により、移動局通信装置２は、基地局通信装置１に対して自発的にデータを送信することが出来る。
【００５４】
次に、基地局から通信リンク切断の抑制による双方向通信の終了について説明する。
【００５５】
基地局通信装置１内の双方向通信終了判断部４１５において双方向通信の終了を判断する（Ｓ１０９のＹ）。この判断は、例えば、基地局通信装置１内の双方向通信送受信部５
１１から双方向通信送受信部５２１に対して送信した送信問い合わせに対する、双方向通信送受信部５２１から双方向通信送受信部５１１への送信問い合わせ応答が一定時間ない場合であったり、アプリケーション部３１、３２からの要請であってもよく、その判断の方法は問わない。
【００５６】
通信終了を判断した双方向通信終了判断部４１５はその情報を通信リンク切断送信部５１５に転送し（Ｓ２０１）、通信リンク切断送信部５１５は通信リンク切断抑制管理部５１４の持つ情報により、移動局通信装置２に対して通信リンク切断のメッセージの送信をするかしないかを決定する（Ｓ２０２）。
【００５７】
通信リンク切断のメッセージの送信を行う場合（Ｓ２０２のＹ）、双方向通信終了判断部４１５は移動局管理部４１７に対して、双方向通信終了の情報を転送し、移動局管理部４１７は双方向通信を終了する移動局の情報を削除する（Ｓ２０３）。移動局通信装置２は、基地局より通信終了のメッセージを受信するため、双方向通信を終了する（Ｓ２０４）。
【００５８】
また、通信リンク切断のメッセージの送信を行わない場合（Ｓ２０２のＮ）、双方向通信終了判断部４１５は、移動局管理部４１７に対して、双方向通信終了の情報を転送し、移動局管理部４１７は双方向通信を終了する移動局の情報を削除する（Ｓ２０５）。移動局通信装置２は、基地局より通信終了のメッセージを受信していないため、双方向通信を終了しない（Ｓ２０６）。
【００５９】
基地局通信装置１は移動局通信装置２との双方向通信を終了しているとみなしているため、基地局通信装置１からの双方向通信データは送受信できない。しかし、基地局通信装置１から単方向に送信される同報データは、移動局通信装置２は受信し続けることが可能となる。
【００６０】
次に、基地局通信装置１または移動局通信装置２が双方向通信終了時に通信リンク切断の抑制を判断する動作について図６を用いて説明する。
【００６１】
基地局通信装置１と移動局通信装置２との間で双方向通信をしている間に、例えば下記のような判断および手段により、双方向通信終了時の基地局通信装置１から移動局通信装置２に送信される通信リンク切断のメッセージ送信を抑制する。
【００６２】
移動局通信装置２内の双方向通信手段５２１とアプリケーション部３３、３４との転送を介するアプリケーションデータ転送部４２２の転送状況をデータ転送統計情報処理部４２３によって監視を行う。例えば、一定時間内に送受信されるデータ個数やデータ量、データ転送間隔、送信問い合わせ回数などの統計データを求め、その処理情報を通信リンク切断抑制管理部５２４へ転送する（Ｓ３０１）。
【００６３】
通信リンク切断抑制管理部５２４は取得した情報がある条件を満たした場合、例えば、送受信したデータ個数やデータ量がしきい値を超えた、等によって、通信リンク切断抑制要求送信部５２５にその情報を転送し（Ｓ３０２）、通信リンク切断抑制要求送信部５２５は通信リンク切断抑制を要求するメッセージを基地局通信装置１内の通信リンク切断抑制要求受信部４１４へと送信する（Ｓ３０３）。移動局からの通信リンク切断要求のメッセージを受信した通信リンク切断抑制要求受信部４１４はその情報を通信リンク切断抑制管理部５１４へ転送する（Ｓ３０４）。
【００６４】
あるいは、Ｓ３０１に代わって、移動局通信装置２内の位置情報処理部５２３は、例えば、ＧＰＳに代表される位置情報取得装置により通信エリア内の移動局の位置情報を処理
する装置であって、また、例えば、移動局が走行する速度から通信エリア内の移動局の位置情報を処理する装置であり、その処理した情報を通信リンク切断抑制管理部５２４へ転送する（Ｓ３０６）。
【００６５】
あるいは、Ｓ３０１に代わって、移動局通信装置２内の無線データ統計情報処理部６２２は、基地局通信装置１内の無線データ送受信部６１１から移動局通信装置２内の無線データ送受信部６２１へと送信される無線データを監視し、その統計情報、例えば、一定時間内に誤るビット数やデータ量、連続的に誤る確率とその時間、データ転送間隔、無線電界強度、などを処理し、その処理情報を通信リンク切断抑制管理部５２４へ転送する（Ｓ３０７）。
【００６６】
また、基地局通信装置１内の双方向通信送受信部５１１とアプリケーション部３１または３２との転送を介するアプリケーションデータ転送部４１２の転送状況をデータ転送統計情報処理部４１３によって監視を行う。例えば、一定時間内に送受信されるデータ個数やデータ量、データ転送間隔、送信問い合わせ回数などの統計データを求め（Ｓ３０８）、その処理情報を通信リンク切断抑制管理部５１４へ転送する（Ｓ３１１）。
【００６７】
あるいは、Ｓ３０８に代わって、基地局通信装置１内の移動局通過処理部５１３は、例えば、赤外線を用いた車両通過判断装置であって（Ｓ３０９）、また、例えば、ループコイルを用いた車両接近判断装置であって、その処理情報を通信リンク切断抑制管理部５１４へ転送する（Ｓ３１１）。
【００６８】
あるいは、Ｓ３０８に代わって、基地局通信装置１内の無線データ統計情報処理部６１２は、基地局通信装置２内の無線データ送受信部６２１から移動局通信装置１内の無線データ送受信部６１１へと送信される無線データを監視し、その統計情報、例えば、一定時間内に誤るビット数やデータ量、連続的に誤る確率とその時間、データ転送間隔、無線電界強度、などを処理し（Ｓ３１０）、その処理情報を通信リンク切断抑制管理部５１４へ転送する（Ｓ３１１）。
【００６９】
なお、上記Ｓ３０１、Ｓ３０６〜Ｓ３１０に限らず、アプリケーション部３１〜３４から通信リンク切断の抑制を設定するようにしてもよい。
【００７０】
以上の動作により、基地局より移動局に対して送信する通信リンク切断のメッセージを予め抑制することが可能となる。このような本発明の一実施の通信システムによれば、移動局通信装置は、双方向通信の終了後も同報通信を取得し続けることが可能となり、同報通信の受信効率を改善することができる。
【産業上の利用可能性】
【００７１】
以上のように、本発明による通信システムは、通信リンクの切断を要求する切断要求メッセージの送信を調整することにより、双方向通信が終了しても、移動局における同報通信データの受信を考慮して、通信リンクの切断を要求する切断要求メッセージを調整して移動局に送信することが可能となるという効果を有し、基地局と移動局との間の通信システム、特に双方向通信と同報通信とを行う通信システム等で有用である。
【図面の簡単な説明】
【００７２】
【図１】本発明の一実施の形態における通信システムのブロック図
【図２】本発明の一実施の形態における基地局通信装置のブロック図
【図３】本発明の一実施の形態における移動局通信装置のブロック図
【図４】本発明の一実施の形態における通信システムの動作説明のためのフロー図
【図５】本発明の一実施の形態における通信システムの動作説明のためのフロー図
【図６】本発明の一実施の形態における通信システムの動作説明のためのフロー図
【符号の説明】
【００７３】
１  基地局通信装置
２  移動局通信装置
３１、３２、３３、３４  アプリケーション部
４１、４２  データ処理部
５１、５２  通信処理部
６１、６２  無線部
４１１、４２１  アプリケーション登録部
４１２、４２２  アプリケーションデータ転送部
４１３、４２３  データ転送統計情報処理部
４１４  通信リンク切断抑制要求受信部
４１５  双方向通信終了判断部
４２４  通信リンク切断抑制判断部
４１７  移動局管理部
４２５  基地局管理部
５１１、５２１  双方向通信送受信部
５１２  同報通信送信部
５２２  同報通信受信部
５１３  移動局通過処理部
５１４、５２４  通信リンク切断抑制管理部
５１５  通信リンク切断送信部
５１６、５２６  データ処理部管理部
５２３  位置情報処理部
５２５  通信リンク切断抑制要求送信部
６１１、６２１  無線データ送受信部
６１２、６２２  無線データ統計情報処理部
【図１】
2005094435.tif 000003
【図２】
2005094435.tif 000004
【図３】
2005094435.tif 000005
【図４】
2005094435.tif 000006
【図５】
2005094435.tif 000007
【図６】
2005094435.tif 000008